(57)【要約】【課題】  防犯効果が高い自動穀類処理装置を得る。【解決手段】  自動精米装置１０は、建屋１１内が、米粒を自動的に精米処理するための籾摺機３６・石抜き機３８・精米機４０等が配設された機械室１１Ａと、機械室１１Ａ内の各機械を動作させるための操作パネル４６が設けられた操作室１１Ｂとに仕切られている。この建屋１１は、外部から出入口２０を通じて矢印Ｂ方向に沿って操作室１１Ｂを視認することができると共に、外部から視認窓３０、３２を通じて矢印Ｂと略直角を成す矢印Ｃ、矢印Ｄ方向に沿って操作室１１Ｂを視認することができる。【選択図】    図３
2006320867.tif 000002
【特許請求の範囲】
【請求項１】
建屋内に形成され、穀類を自動的に処理する穀類処理機が配設された機械室と、
前記建屋内に機械室とは仕切られて形成され、前記機械室内の穀類処理機を動作させるための操作部が設けられた操作室と、
前記操作室内で前記操作部を向く第１方向及び該第１方向と直角を成す第２方向に沿って外部から該操作室内を視認することを可能とするように、前記建屋に設けられた開口部と、
を備えた自動穀類処理装置。
【請求項２】
前記開口部は、前記操作室に対し操作者が出入りするための出入口と、該出入口の開口面との直角方向に沿う壁部に設けられた透視窓とを含む請求項１記載の自動穀類処理装置。
【請求項３】
前記透視窓が互いに対向する壁部にそれぞれ設けられている請求項２記載の自動穀類処理装置。
【発明の詳細な説明】
【技術分野】
【０００１】
本発明は、例えばコイン精米装置や米販売装置等の自動穀類処理装置に関する。
【背景技術】
【０００２】
コインの投入やプリペイドカードの挿入などによって作動し、使用者が持ち込んだ米粒（籾又は玄米）を精米処理して白米にするコイン精米所が知られている（例えば、特許文献１参照）。このようなコイン精米所では、建屋内で、精米機が配設された機械室と、使用者が精米機を動作させるべくコイン投入等と共に操作パネルの操作を行う操作室とが仕切壁によって仕切られており、通常道路等に面して設けられる正面出入口から操作室に対する利用者の出入が自由とされる一方、利用者（管理者以外の者）の機械室への進入は許容されない構造とされている。
【特許文献１】特開２０００−２５１１７５号
【発明の開示】
【発明が解決しようとする課題】
【０００３】
ところで、近年、正面出入口にトラックを横付けして周囲からの視界を遮った上で、操作室内で金銭貯留部のドアをこじ開けて金銭を強奪するといった犯罪が増加している。そして、このような犯罪を防止するために、コイン精米所に対しても防犯対策が望まれてきている。
【０００４】
本発明は上記事実を考慮して、防犯効果が高い自動穀類処理装置を得ることが目的である。
【課題を解決するための手段】
【０００５】
請求項１記載の発明に係る自動穀類処理装置は、建屋内に形成され、穀類を自動的に処理する穀類処理機が配設された機械室と、前記建屋内に機械室とは仕切られて形成され、前記機械室内の穀類処理機を動作させるための操作部が設けられた操作室と、前記操作室内で前記操作部を向く第１方向及び該第１方向と直角を成す第２方向に沿って外部から該操作室内を視認することを可能とするように、前記建屋に設けられた開口部と、を備えている。
【０００６】
請求項１記載の自動穀類処理装置では、操作室での操作によって機械室に配設された穀類処理機が作動し、穀類が処理される。ここで、直交する第１方向及び第２方向に沿って外部から操作室を視認することができるように建屋に開口部を設けたため、仮に一方向の視界を障害物で遮ったとしても他方向から操作室内を視認することができ、犯罪行為の断念を促すことができる。
【０００７】
このように、請求項１記載の自動穀類処理装置では、防犯効果が高い。なお、請求項１の開口部として、例えば、操作室を囲む複数の壁にそれぞれ設けられた複数の窓（連設されても良い）、操作室を囲む曲面状（平面視円弧状など）の壁部に沿って曲面状に設けられた窓等を採用することができる。
【０００８】
請求項２記載の発明に係る自動穀類処理装置は、請求項１記載の自動穀類処理装置において、前記開口部は、前記操作室に対し操作者が出入りするための出入口と、該出入口の開口面との直角方向に沿う壁部に設けられた透視窓とを含む。
【０００９】
請求項２記載の自動穀類処理装置では、出入口と透視窓とが、互いに略直角を成す異なる面（開口面、壁部）に沿って独立して設けられている。したがって、出入口を通じて外部から操作室内を視認する視界（第１方向又は第２方向）と、視認窓を通じて外部から操作室内を視認する視界（第２方向又は第１方向）とが確保される。
【００１０】
請求項３記載の発明に係る自動穀類処理装置は、請求項２記載の自動穀類処理装置において、前記透視窓が互いに対向する壁部にそれぞれ設けられている。
【００１１】
請求項３記載の自動穀類処理装置では、機械室側を向いて出入口が設けられており、出入口の両端に位置する一対の壁部にそれぞれ透視窓が設けられているため、仮に一方の透視窓からの視界を遮る障害物が存在する場所に設置されても、換言すれば、設置場所に合わせて透視窓の位置（透視窓を設ける壁部）を変更することなく、２方向の視界を確保することができる。
【発明の効果】
【００１２】
以上説明したように、本発明に係る自動穀類処理装置は、防犯効果が高いという優れた効果を有する。
【発明を実施するための最良の形態】
【００１３】
本発明の実施形態に係る自動穀類処理装置としての自動精米装置１０について、図１乃至図５に基づいて説明する。なお、説明の便宜上、各図に適宜記す矢印Ａにて示す側を前側ということとする。
【００１４】
図１及び図２には、自動精米装置１０の異なる方向から見た外観がそれぞれ斜視図にて示されている。また、図３には自動精米装置１０の概略全体構成が平断面図にて示されており、図４には自動精米装置１０の全体構成が模式的な縦断面図にて示されている。
【００１５】
これらの図に示される如く、自動精米装置１０は、後に詳述する建屋１１を備えており、この建屋１１は略直方体状に形成されている。図３及び図４に示される如く、建屋１１は、仕切壁１３を境にして機械室１１Ａと操作室１１Ｂに区画されている。建屋１１の前端は、開口して利用者が出入するための出入口２０（後述）を構成している。
【００１６】
また、図３乃至図５に示される如く、操作室１１Ｂにおける機械室１１Ａ側には、米粒（籾Ｍ又は玄米Ｇ）が投入されると共に機械室１１Ａへ搬送供給するための供給ホッパ１２が設けられている。供給ホッパ１２は上部が開口する箱型に形成されており、その底部には米粒搬送用のスクリューコンベヤ１４が内蔵されている。このスクリューコンベヤ１４は駆動モータ１６によって回転駆動され、投入された米粒を建屋１１の機械室１１Ａへ搬送することができるようになっている。この駆動モータ１６は、機械室内の適宜位置に配設された制御装置５０に電気的に接続されており、該制御装置５０によって回転制御される構成とされている。
【００１７】
さらに、供給ホッパ１２のスクリューコンベヤ１４の米粒搬送方向終端部は、建屋１１の機械室１１Ａに配置された昇降機３４に連結されている。昇降機３４は、供給ホッパ１２に投入されスクリューコンベヤ１４によって供給された米粒を建屋１１の上部へ持ち上げ搬送できるようになっている。この昇降機３４の上端部に設けられた放出口には、切換弁３５が取り付けられている。切換弁３５は、昇降機３４からの米粒の供給先を籾摺機３６及び石抜き機３８の何れか一方に選択的に切り換え得る構成とされている。この切換弁３５は、制御装置５０によって制御され、昇降機３４によって持ち上げ搬送された米粒が籾Ｍである場合には該籾Ｍを籾摺機３６に供給し、持ち上げ搬送された米粒が玄米Ｇである場合には該玄米Ｇを石抜き機３８に供給するようになっている。
【００１８】
昇降機３４の側方には、籾摺機３６が配置されている。籾摺機３６は、一対のゴムロール機構を備えたロール式とされており、供給された米粒（籾Ｍ）の籾摺り処理を行うように構成されている。この籾摺機３６の側方には石抜き機３８が配置されており、この石抜き機３８は、籾摺機３６の排出口３６Ａに対応すると共に前述した切換弁３５にも接続されている。このため、籾摺機３６を経由した後の玄米Ｇ、または切換弁３５からの玄米Ｇは石抜き機３８へ供給されるようになっている。
【００１９】
また、機械室１１Ａの昇降機３４の側方（図４では下方）には、精米部としての精米機４０が配置されており、石抜き機３８を経由後の玄米Ｇが供給されるようになっている。精米機４０は、精白ロールを備えた縦型円筒摩擦式とされており、玄米Ｇの精米処理を行うように構成されている。さらに、精米機４０の側方には糠回収機４２が配置されており、この糠回収機４２は、精米処理の際に発生する米糠を回収して袋４３（図４参照）に集積できる構成とされている。
【００２０】
一方、精米機４０の放出口４０Ａに対応した建屋１１の操作室１１Ｂには、図５にも示される如く集積タンク４４が配置されている。この集積タンク４４の下方には、図４に示される袋４５をセット可能とされており、この集積タンク４４を経由して精米処理後の白米Ｈを袋４５に集積できる構成とされている。
【００２１】
さらに、建屋１１の仕切壁１３には機械室１１Ａと操作室１１Ｂとを連通する開口１３Ａが形成されており、この開口１３Ａはドア５６によって開閉されるようになっている。このドア５６の上部には、操作部としての操作パネル４６が配設されている。操作パネル４６には、図示を省略したコイン投入部、紙幣挿入部及びカード挿入部が設けられており、所定のコインや紙幣（例えば、１００円硬貨や１０００円札）あるいは所定のカード（例えば、所謂クローズド型のプリペイドカード）を挿入することができるようになっている。そして、本自動精米装置１０では、ドア５６を開口１３Ａが開放される開放位置にすることで、コインや紙幣等の金銭の回収作業を行うことができる構成とされている。
【００２２】
また、操作パネル４６には、運転スイッチとしての白度選択スイッチが設けられており、制御装置５０に接続されている。制御装置５０は、前述した操作パネル４６に設けられたコインセンサ、紙幣センサ、カードセンサ等（図示省略）が接続されると共に、スクリューコンベヤ１４の駆動モータ１６、昇降機３４、籾摺機３６、石抜き機３８、精米機４０の各駆動モータがそれぞれ接続されている。この制御装置５０は、予め記憶された制御ルーチンのプログラムに従って前記各部品を制御する。
【００２３】
ここで、建屋１１について詳細に説明する。建屋１１は、互いに対向する床部２２及び屋根部２４と、それぞれ床部２２と屋根部２４とを連結する左右一対の側壁２５、２６、及び後壁２８を備えている。建屋１１の前端は、壁部が設けられず、略全面に亘り開口した上記の出入口２０とされている。図１及び図２に示される如く、この出入口２０は、それぞれドア枠１８Ａに透明なガラス板１８Ｂが嵌め込まれて構成された一対のスライドドア１８によって開閉されるようになっている。この出入口２０は、利用者の操作室１１Ｂに対する出入（アクセス）を可能とするべく、道路や道路に接するアプローチ空間に面して配置される。
【００２４】
一方、図３に示される如く、互いに対向する左右の側壁２５、２６は、それぞれの後部が機械室１１Ａの側壁を構成し、それぞれの前部が操作室１１Ｂの側壁を構成している。各側壁２５、２６の後端側には、それぞれ機械室１１Ａに対し出入するための開口２５Ａ、２６Ａが形成されており、これらの開口２５Ａ、２６Ａはそれぞれ後ヒンジのドア５２、５４にて開閉されるようになっている。ドア５２、５４は、それぞれ通常は施錠され、自動精米装置１０の利用者（管理者以外の者）の機械室１１Ａへの入室が防止されるようになっている。また、同様に、上記したドア５６についても通常は施錠されて開放が許容されないようになっている。
【００２５】
そして、この建屋１１を構成する左右の側壁２５、２６の前部には、それぞれ透視窓３０、３２が設けられており、建屋１１は、各透視窓３０、３２を通じて操作室１１Ｂ内を視認可能に構成されている。この実施形態では、各透視窓３０、３２は、側面視で縦長の矩形状に形成されており、透明なガラス板３３が固定的に嵌め込まれている。すなわち、各透視窓３０、３２は、開閉されない構成とされている。
【００２６】
以上により、図１乃至図３に示される如く、自動精米装置１０では、正面外側からは、出入口２０を通じて矢印Ｂ方向に沿って（後向きに）操作室１１Ｂ内を視認することができ、左右両側方の外側からは、それぞれの透視窓３０、３２を通じて矢印Ｂとそれぞれ略直角を成す矢印Ｃ、矢印Ｄ方向に沿って操作室１１Ｂ内を視認することができる構成とされている。したがって、出入口２０及び各視認窓３０、３２が本発明における「開口部」に相当する。また、操作室１１Ｂ内で操作パネル４６を操作する利用者は、機械室１１Ａ側を向くこととなるので、矢印Ｂ方向が本発明における第１方向に相当し、矢印Ｃ、矢印Ｄ方向がそれぞれ本発明における第２方向に相当する。
【００２７】
次に本実施形態の作用を説明する。
【００２８】
上記構成の自動精米装置１０を利用する際には、利用者は、スライドドア１８をスライドして出入口２０を開放し、この出入口２０から建屋１１の操作室１１Ｂ内に入る。操作室１１Ｂで利用者は、操作パネル４６のコイン投入部又はカード挿入部にコインを投入するかカードを挿入する。さらに、利用者は、供給ホッパ１２に籾Ｍあるいは玄米Ｇを投入し、操作パネル４６で白度選択スイッチを操作する。すると、スクリューコンベヤ１４の駆動モータ１６、昇降機３４、籾摺機３６、石抜き機３８、精米機４０の各駆動モータ、精米機４０の白度設定モータが作動されて運転が開始される。
【００２９】
自動精米装置１０の運転が開始されると、供給ホッパ１２へ投入された籾Ｍあるいは玄米Ｇは、供給ホッパ１２のスクリューコンベヤ１４によって機械室１１Ａの昇降機３４へと搬送される。そして、昇降機３４によって持ち上げ搬送された米粒が籾Ｍである場合には、そのまま籾摺機３６へ送り込まれ、籾摺機３６によって籾摺り処理（脱ぷ処理）された後に石抜き機３８へ供給される。一方、昇降機３４によって持ち上げ搬送された米粒が玄米Ｇである場合には、切換弁３５が切り換わることでそのまま石抜き機３８へ供給される。さらに、石抜き機３８を通過した玄米Ｇは、精米機４０へ供給されて精米処理が行われた後に、精米処理後の白米Ｈが集積タンク４４へ排出されて袋４５に集積される。
【００３０】
自動精米装置１０は、供給ホッパ１２に供給された籾Ｍ又は玄米Ｇを全て精米処理すると、自動的に停止する。一方、利用者は、白米が集積された袋４５を持ち帰る。この際、利用者は、スライドドア１８をスライドして開放した出入口２０を通って操作室１１Ｂから退室する。
【００３１】
ここで、本実施形態に係る自動精米装置１０では、建屋１１の側壁２５、２６に透視窓３０、３２を設けたため、仮に出入口２０にトラック等の大型車両を横付けして矢印Ｂ方向の視界を遮ったとしても、透視窓３０、３２を通じた矢印Ｃ又は矢印Ｄ方向の視界（側方視界）が確保される。このため、周囲の視界を遮った状態でドア５６をこじ開ける等の犯罪行為を行い難くなる。仮に透視窓３０、３２を通じた矢印Ｃ、矢印Ｄ方向の視界までも遮ろうと試みた場合には、直ちに周囲の人に不審感を与える（怪しまれる）ことになるので、そのような試みは断念される確率が高い。すなわち、自動精米装置１０では、犯罪行為の断念を促すことができる。
【００３２】
このように、本実施形態に係る自動精米装置１０では、防犯効果が高い。
【００３３】
また、自動精米装置１０では、出入口２０の開口面と略直角を成す左右の側壁２５、２６に透視窓３０、３２を設ける構造であるため、簡単な構造で正面からの矢印Ｂ方向に沿う視界以外の矢印Ｃ又は矢印Ｄ方向に沿う側方視界を確保することができる。また、単に側壁２５、２６にガラス板３３を嵌め込む透視窓３０、３２を設ける構成であるため、既存の建屋１１の製造設備を有効に利用することができ、さらに既設の建屋を改造することによって透視窓３０、３２すなわち本防犯構造を設ける（建屋１１に改良する）ことも容易である。
【００３４】
さらに、自動精米装置１０では、左右の側壁２５、２６にそれぞれ透視窓３０、３２を設けたため、例えば、隣接する建築物等によって透視窓３０、３２の一方側の視界を遮られる場所に設置される場合であっても、換言すれば、設置場所に応じて建屋１１の構造（仕様）を変更することなく、他方の透視窓３０又は透視窓３２を通じた視界を確保することができる。
【００３５】
なお、上記した実施形態では、自動穀類処理装置として自動精米装置１０に本発明を適用した例を示したが、本発明はこれに限定されず、例えば、装置内部に貯蔵した玄米を消費者の希望に応じて精米して販売する自動米販売装置や、有料で籾摺り処理のみを行う自動籾摺装置、米穀以外の穀類を有料で処理する各種装置に適用することが可能である。
【００３６】
また、上記した実施形態では、建屋１１の前端に出入口２０が設けられた例を示したが、本発明はこれに限定されず、例えば、道路に面する一方または双方の側壁２５、２６にスライドドア１８によって開閉される出入口２０を設けると共に、該出入口２０と直角を成す面に沿って設けられた前壁に透視窓を設ける構成としても良い。
【００３７】
さらに、上記した実施形態では、左右の側壁２５、２６のそれぞれに透視窓３０又は透視窓３２が設けられた例を示したが、本発明はこれに限定されず、例えば、一方の側壁２５にのみ透視窓３０を設けた構成とすることも可能である。
【図面の簡単な説明】
【００３８】
【図１】本発明の実施形態に係る自動精米装置の外観を示す斜視図である。
【図２】本発明の実施形態に係る自動精米装置の図１とは異なる方向から見た外観を示す斜視図である。
【図３】本発明の実施形態に係る自動精米装置の概略全体構成を示す平断面図である。
【図４】本発明の実施形態に係る自動精米装置の全体構成を模式的に示す縦断面図である。
【図５】本発明の実施形態に係る自動精米装置の操作室内を示す斜視図である。
【符号の説明】
【００３９】
１０      自動精米装置（自動穀類処理装置）
１１      建屋
１１Ａ    機械室
１１Ｂ    操作室
３６      籾摺機（穀類処理機）
３８      石抜き機（穀類処理機）
４０      精米機（穀類処理機）
４６      操作パネル（操作部）
２０      出入口（開口部）
２５・２６  側壁（壁部）
３０・３２  透視窓
【図１】
2006320867.tif 000003
【図２】
2006320867.tif 000004
【図３】
2006320867.tif 000005
【図４】
2006320867.tif 000006
【図５】
2006320867.tif 000007